(57)【要約】【課題】シンクとカウンタとの境界部近傍において汚れや水垢が発生するのを防止しつつキッチンカウンタの外観品質を向上する。【解決手段】シンク１０４は、傾斜した周縁部108から下方に延びるフランジ302を有し、フランジ302の下端は補強材120に当接している。フランジ302の基端と、その上位に位置するカウンタ102との間の隙間には化粧シーリング樹脂130が充填され、化粧シーリング樹脂130の上面130aは傾斜面で構成されている。【選択図】図4
2009235692.tif 000002
【特許請求の範囲】
【請求項１】
キッチンカウンタとは別体のシンクを前記キッチンカウンタのシンク取付用開口部に設置したシンク付きキッチンカウンタであって、
前記シンクの上端部を外方に折り曲げて形成された周縁部の外端部を下方に折り曲げることにより形成されたフランジを有し、
該フランジの基端と前記キッチンカウンタのシンク取付用開口部の端面との間に隙間を有すると共に、前記フランジの基端と前記キッチンカウンタの上面との間に高低差を有し、
前記キッチンカウンタの上面よりも低位の前記フランジの基端と前記キッチンカウンタのシンク取付用開口部の端面との間の前記隙間に化粧シーリング樹脂が充填され、
該化粧シーリング樹脂の表面が前記キッチンカウンタの上面から前記フランジの基端に向かって斜め下方に傾斜した傾斜面で構成されていることを特徴とするシンク付きキッチンカウンタ。
【請求項２】
前記シンクの前記周縁部が、前記化粧シーリング樹脂の傾斜した表面の延長線に沿った傾斜面で構成され、該傾斜した周縁部と、該周縁部の上端から下方に延びる前記フランジとの間の角度が鋭角であり、前記フランジが鉛直線上に沿って延びている、請求項１に記載のシンク付きキッチンカウンタ。
【請求項３】
前記鉛直線上に沿って下方に延びるフランジの下端部を受け入れる溝を備え且つ前記キッチンカウンタの裏面に沿って配設された補強材に固定されたシンク固定具と、
該シンク固定具が位置する前記補強材と前記シンクとの間の空間に充填されたシンク固定用樹脂とを有する、請求項２に記載のシンク付きキッチンカウンタ。
【請求項４】
キッチンカウンタとは別体のシンクを前記キッチンカウンタのシンク取付用開口部に設置したシンク付きキッチンカウンタであって、
前記シンクの上端部を外方に折り曲げて形成された周縁部の外端部を下方に折り曲げることにより形成されたフランジを有し、
該フランジの下端縁が、前記キッチンカウンタの裏面に沿って配設された補強材の側面に当接又は隣接して位置して、フランジと前記キッチンカウンタのシンク取付用開口部の端面との間に隙間を形成すると共に、前記フランジの基端と前記キッチンカウンタの上面との間に、前記キッチンカウンタの上面を上位とし前記フランジの基端を下位にした高低差を形成し、
前記フランジと前記キッチンカウンタのシンク取付用開口部の端面との間の前記隙間に化粧シーリング樹脂が充填されると共に、該化粧シーリング樹脂の表面が前記キッチンカウンタの上面から前記フランジの基端に向かって斜め下方に傾斜した傾斜面で構成され、
前記シンクの前記周縁部が、前記化粧シーリング樹脂の傾斜した表面の延長線に沿った傾斜面で構成され、
該傾斜した周縁部の少なくとも上端部と前記フランジの裏面とに当接してこれを支持するシンク設置部を備えたシンク固定具が前記補強材に固定され、
該シンク固定具が位置する前記補強材と前記シンクとの間の空間にシンク固定用樹脂が充填されていることを特徴とするシンク付きキッチンカウンタ。
【請求項５】
キッチンカウンタのシンク取付用開口部に設置されてシンク付きキッチンカウンタを作るためのシンクであって、前記キッチンカウンタの裏面に沿って配設された補強材に固定され且つシンク設置部を有するシンク固定具によって前記キッチンカウンタに取り付けられるシンクにおいて、
該シンクの周縁部の外端部を下方に折り曲げることにより形成され且つ前記キッチンカウンタに設置されたときに前記補強材の側面に当接又は近接して位置するフランジを有し、
該フランジと前記シンク周縁部とでシンク取付部が形成されて、該シンク取付部が前記シンク固定具の前記シンク設置部で支持されると共に、前記シンク周縁部が前記フランジの基端から斜め下方に傾斜した傾斜面で構成され、
前記シンクを前記キッチンカウンタに設置したときに、前記シンクのフランジと前記キッチンカウンタのシンク取付用開口部の端面との間に隙間に化粧シーリング樹脂が充填されると共に該化粧シーリング樹脂の表面が前記キッチンカウンタの上面から前記シンクの傾斜した周縁部とを結ぶラインに沿った傾斜面に作られることを特徴とするキッチンカウンタ用のシンク。
【発明の詳細な説明】
【技術分野】
【０００１】
本発明はシンク付きキッチンカウンタ及びシンクに関する。
【背景技術】
【０００２】
図５は従来例を示す。図５を参照して、シンク付きキッチンカウンタ１は、人工大理石等からなるカウンタ２のシンク取付用開口部３にシンク４が取り付けられる。カウンタ２のシンク取付用開口部３には、これに隣接してカウンタ２の裏面に木材からなる補強材５が設置されている。シンク４は、その上端に水平フランジ６を有し、この水平フランジ６を下方から支持するＬ形のシンク固定具７によって水平フランジ６は、カウンタ２の裏面に密着した状態で固定されていた。そして、カウンタ２のシンク取付用開口部３の端面とシンク４との境界はシリコンコーキング剤８によって水密処理が行われていた。図中、参照符号９は、Ｌ形のシンク固定具７が補強材５に固定するためのネジを示す。
【０００３】
図６は従来の変形例としてのシンク付きキッチンカウンタを示す。図６のシンク付きキッチンカウンタ１０は、補強材５に段部１１が形成されている。そして、この段部１１の下面にシンク４の水平フランジ６を当接した状態でシンク４がＬ形のシンク固定具７により固定され、水平フランジ６とカウンタ２の裏面との間の隙間には化粧シーリング樹脂１２が充填され、この化粧シーリング樹脂１２の外部に露出する側面１２ａは後加工が施されて、カウンタ２のシンク取付用開口部３の傾斜した端面と面一の傾斜面で構成され、これにより化粧シーリング樹脂３の露出した側面１２ａに水分が付着したまま滞留して汚れや水垢等が生じてしまうのを防止する工夫が施されていた。
【０００４】
シンク付きキッチンカウンタに関し、特許文献１には、上記Ｌ形のシンク固定具を使った様々なシンク取付構造が開示されている。また、特許文献１には、上述した化粧シーリング樹脂に関する詳しい説明が記載されており、また、シンクを固定するためにウレタン樹脂などのシンク固定用樹脂の説明が記載されている。
【０００５】
【特許文献１】特開２００１−２４１０８０号公報
【発明の開示】
【発明が解決しようとする課題】
【０００６】
図５に示した従来のシンク付きキッチンカウンタ１では、シンク４の水平フランジ６とキッチンカウンタ２との境界に段差１５（図５）が形成されるため、この段差１５の部分に汚れや水垢が発生し易いという問題がある。
【０００７】
図６に示した従来のシンク付きキッチンカウンタ１０は、化粧シーリング樹脂１２の側面１２ａを傾斜面にしたことから、図５のキッチンカウンタ１よりも低減されるものの、化粧シーリング樹脂１２の側面１２ａと水平フランジ６との間の段差１６の部分に汚れや水垢が発生するという問題が残っている。
【０００８】
また、図６に示した従来のキッチンカウンタ１０では、シンク４のフランジ６が平板の水平フランジで構成されているため、水平フランジ６に反りや歪みが生じやすく、そのため化粧シーリング樹脂１２が充填される空隙部つまり水平フランジ６とカウンタ２との間の空隙部に寸法誤差が発生し易く、化粧シーリング樹脂１２の高さ寸法を一定に維持するのが事実上難しく、このことによりキッチンカウンタ１０の外観に関する品質を保つのが難しいという問題がある。また、化粧シーリング樹脂の側面１２ａに隣接して位置する段差１６によってこの側面１２ａを傾斜面にする加工が厄介であるという問題がある。
【０００９】
本発明の目的は、シンクとカウンタとの境界部近傍において汚れや水垢が発生するのを防止しつつキッチンカウンタの外観品質を向上することのできるシンク付きキッチンカウンタ及びシンクを提供することにある。
【課題を解決するための手段】
【００１０】
上記の技術的課題は、本発明にあっては、
キッチンカウンタとは別体のシンクを前記キッチンカウンタのシンク取付用開口部に設置したシンク付きキッチンカウンタであって、
前記シンクの上端部を外方に折り曲げて形成された周縁部の外端部を下方に折り曲げることにより形成されたフランジを有し、
該フランジの基端と前記キッチンカウンタのシンク取付用開口部の端面との間に隙間を有すると共に、前記フランジの基端と前記キッチンカウンタの上面との間に高低差を有し、
前記キッチンカウンタの上面よりも低位の前記フランジの基端と前記キッチンカウンタのシンク取付用開口部の端面との間の前記隙間に化粧シーリング樹脂が充填され、
該化粧シーリング樹脂の表面が前記キッチンカウンタの上面から前記フランジの基端に向かって斜め下方に傾斜した傾斜面で構成されていることを特徴とするシンク付きキッチンカウンタを提供することにより達成される。
【００１１】
すなわち、本発明によれば、化粧シーリング樹脂を充填する隙間を、シンクのフランジの基端という精度を維持し易い部位とシンク取付用開口部の端面との間に形成し、この隙間に化粧シーリング樹脂を充填するようにしたため、化粧シーリングの幅を一定に維持するのが容易である。したがって、シンク付きキッチンカウンタの外観品質を向上することができる。また、化粧シーリング樹脂の表面を傾斜面で構成したため当該化粧シーリング樹脂の表面が汚れたり水垢が発生したりするのを防止することができる。
【発明を実施するための最良の形態】
【００１２】
以下に添付の図面に基づいて本発明の好ましい実施例を説明する。図１はシンク付きキッチンカウンタ１００の主要部品であるカウンタ１０２とシンク１０４の分解斜視図である。カウンタ１０２は人工大理石等からなり、シンク１０４はステンレス鋼板等からなる。カウンタ１０２には、従来と同様にシンク取付用開口部１０６が形成され、このシンク取付用開口部１０６にシンク１０４が設置される。
【００１３】
図２は第１の実施例に関するシンク取付構造を示す。図２を参照して、シンク１０４は、その上端部を外方に折り曲げて形成された周縁部１０８を有し、周縁部１０８は、傾斜部１１０と、その外方に位置する水平部１１２とで構成されている。シンク１０４は、また、水平部１１２の外端から鉛直方向に直角に下方に屈曲した鉛直フランジ１１４を有する。
【００１４】
カウンタ１０２のシンク取付用開口部１０６の周縁部の裏面には、従来と同様に、木材からなる補強材１２０が配設されており、この補強材１２０の外側面は、シンク取付用開口部１０６の端面１０６ａと実質的に面一又は端面１０６ａよりも若干外方に位置するように位置決めされている。補強材１２０には、シンク固定具１２２がネジ１２４によって固定されている。
【００１５】
シンク固定具１２２は、補強材１２０の外側面の外方に位置する本体１２６を有し、固定具本体１２６には、上方に開放した溝１２６ａが形成されており、この溝１２６ａにシンク１０４の鉛直フランジ１１４の下端が着座することにより、シンク１０４がシンク取付用開口部１０６に位置決めされる。
【００１６】
図２から分かるように、シンク１０４をシンク取付用開口部１０６に設置した状態では、シンク１０４の周縁部１０８の一部を構成する水平部１１２がカウンタ１０２の上面１０２ａよりも低位に位置し、カウンタ上面１０２ａとシンク１０４の水平部１１２との間に高低差が形成されると共にシンク取付用開口部１０６の端面１０６ａとシンク１０４の鉛直フランジ１１４の基端との間に隙間が形成されており、この隙間に化粧シーリング樹脂１３０が充填されている。そして、この化粧シーリング樹脂１３０の露出した上面１３０ａは平らな傾斜面で構成されている。
【００１７】
すなわち、カウンタ１０２の上面１０２ａと、これによりも低位に位置し且つカウンタ１０２のシンク取付用開口部１０６の端面１０６ａから離間して位置する鉛直フランジ１１４の基端との間の隙間に充填された化粧シーリング樹脂１３０は、その上面１３０ａが、カウンタ１０２の上面１０２ａから鉛直フランジ１１４の基端に向けて斜め下方に傾斜した傾斜面で構成されている。
【００１８】
図２の参照符号１３４はシンク固定用樹脂を示し、シンク固定用樹脂１３４は、補強材１２０の外側面とシンク１０４の傾斜面１１０、水平面１１２とで囲まれた空間に充填され、シンク固定具１２２の本体１２６の大部分がシンク固定用樹脂１３４に埋没した状態で樹脂１３４が硬化される。
【００１９】
上記の第１の実施例（図２）によれば、化粧シーリング樹脂１３０の上面１３０ａが傾斜面で構成されているため、化粧シーリング樹脂１３０の上面１３０ａが汚れにくく、また水垢が発生し難いだけでなく、誤差が発生し難い鉛直フランジ１１４の基端と、シンク取付用開口部１０６の端面１０６ａとの間に隙間を作り、この隙間に化粧シーリング樹脂１３０を充填するようにしたことから、化粧シーリング樹脂１３０の幅を一定に保つことができる。そして、このことによりシンク付きキッチンカウンタ１００の外観品質を向上することができる。
【００２０】
図３は第２の実施例に関するシンク付きキッチンカウンタ２００を示す。図３を参照して、この第２実施例では、シンク１０４の周縁部１０８が傾斜部１１０で構成され、第１実施例のように水平部１１２を有していない。そして、この傾斜部１１０からなる周縁部１０８の外端部を下方に折り曲げることにより形成された鉛直フランジ１１４との間の角度θは鋭角である。
【００２１】
鉛直フランジ１１４の基端つまり傾斜した周縁部１０８の外端と、カウンタ１０２の上面１０２ａとの間には高低差が形成されると共に、上位に位置するカウンタ１０２と、鉛直フランジ１１４の基端との間の隙間に充填された化粧シーリング樹脂１３０の上面１３０ａは、傾斜した周縁部１０８の傾斜角度と実質的に同じ傾斜角度で傾斜した傾斜面となるように後加工されている。
【００２２】
この第２実施例によれば、化粧シーリング樹脂１３０からシンク１０２の周縁部１０８に亘って連続した傾斜面で構成されるため汚れや水垢の発生を防止することができる。また、化粧シーリング樹脂１３０の上面１３０ａを傾斜面にするための加工も容易となる。
【００２３】
図４は、第３実施例のシンク付きキッチンカウンタ３００を示す。この第３実施例のキッチンカウンタ３００では、シンク１０４の周縁部１０８が第２実施例と同様に傾斜部１１０で構成されているが、傾斜部１１０からなる周縁部１０８の外端部を下方に折り曲げることにより形成されたフランジ３０２と周縁部１０８との間の角度θは直角であるが、鈍角であってもよい。このような構成により、シンク周縁部１０８の外端から下方に延びるフランジ３０２は斜め外方に向けて延びており、フランジ３０２の自由端つまり下端は、補強材１２０の外側面に当接又は隣接して位置している。
【００２４】
補強材１２０には、第１、第２実施例に含まれるシンク固定具１２２とは異なるシンク固定具３１０がネジ１２４によって固定されている。このシンク固定具３１０は、シンク１０４の傾斜した周縁部１０８の上端部及びフランジ３０２に沿って断面逆Ｖ字状のシンク載置部を有し、このシンク載置部は、フランジ３０２に沿って延びる第１部分３１０ａと、周縁部１０８に沿って延びる第２部分３１０ｂとで構成されている。
【００２５】
シンク１０４の傾斜した周縁部１０８の外端から直角に折れ曲がって下方に延びるフランジ３０２の基端と、カウンタ１０２の上面１０２ａとの間には高低差が形成されると共に、上位に位置するカウンタ１０２と、フランジ３０２の基端との間の隙間に充填された化粧シーリング樹脂１３０の上面１３０ａは、傾斜した周縁部１０８の傾斜角度と実質的に同じ傾斜角度で傾斜した傾斜面となるように後加工されている。
【００２６】
この第３実施例によっても、第２実施例と同様に化粧シーリング樹脂１３０からシンク１０２の周縁部１０８に亘って連続した傾斜面で構成されるため汚れや水垢の発生を防止することができる。また、化粧シーリング樹脂１３０の上面１３０ａを傾斜面にするための加工も容易となる。
【図面の簡単な説明】
【００２７】
【図１】シンク付きキッチンカウンタの概略構成を示す分解斜視図である。
【図２】第１実施例のシンク付きキッチンカウンタのシンク取付構造の断面図である。
【図３】第２実施例のシンク付きキッチンカウンタのシンク取付構造の断面図である。
【図４】第３実施例のシンク付きキッチンカウンタのシンク取付構造の断面図である。
【図５】従来技術にかかるシンク取付構造の断面図である。
【図６】他の従来技術にかかるシンク取付構造の断面図である。
【符号の説明】
【００２８】
１００    第１実施例のシンク付きキッチンカウンタ
２００    第２実施例のシンク付きキッチンカウンタ
３００    第３実施例のシンク付きキッチンカウンタ
１０２    カウンタ
１０２ａ  カウンタ上面
１０４    シンク
１０６    カウンタのシンク取付用開口部
１０６ａ  シンク取付用開口部の端面
１０８    シンクの周縁部
１１４    シンクの鉛直フランジ
３０２    シンクのフランジ
１２０    補強材
１２２  シンク固定具
１２６  シンク固定具の本体
１２６ａ  シンク本体の溝
１３０    化粧シーリング樹脂
１３０ａ  化粧シーリング樹脂の上面（傾斜面）
【図１】
2009235692.tif 000003
【図２】
2009235692.tif 000004
【図３】
2009235692.tif 000005
【図４】
2009235692.tif 000006
【図５】
2009235692.tif 000007
【図６】
2009235692.tif 000008